(57)【要約】      （修正有）【課題】タッチディスプレイパネル内で発生する寄生静電容量の偏差を減少させて寄生静電容量によりタッチセンシングの正確度が低下することを防止することができるタッチディスプレイ装置を提供する。【解決手段】タッチディスプレイパネル１１０にライン別に配置されるタッチ電極ＴＥと駆動回路１２０との間に配置されるタッチ配線ＴＬｘ、ＴＬｙの面積及びコンタクトパッドの面積の和が一定な値を有するようにすることによって、タッチ電極ＴＥが配置される位置に従うタッチ配線間の寄生静電容量の偏差を補償する。【効果】これによって、タッチディスプレイパネル１１０で異なる位置に配置されるタッチ電極間に寄生静電容量の偏差によってタッチセンシングの正確度が低下することを防止することができる。【選択図】図１
2018206350.tif 000002
【特許請求の範囲】
【請求項１】
タッチディスプレイパネルに第１方向に配置された第１タッチ電極ラインと、
前記タッチディスプレイパネルに前記第１方向に配置された第２タッチ電極ラインと、
前記第１タッチ電極ラインの最外郭タッチ電極と連結された第１コンタクトパッドと、
前記第１コンタクトパッドと連結された第１タッチ配線と、
前記第２タッチ電極ラインの最外郭タッチ電極と連結された第２コンタクトパッドと、
前記第２コンタクトパッドと連結された第２タッチ配線と
を含み、
前記第１コンタクトパッドの表面面積に前記第１タッチ配線の表面面積を足した値は、前記第２コンタクトパッドの表面面積に前記第２タッチ配線の表面面積を足した値と同一である、
タッチディスプレイ装置。
【請求項２】
前記第１タッチ配線の幅が前記第２タッチ配線の幅より狭い場合、前記第１コンタクトパッドの表面面積は、前記第２コンタクトパッドの表面面積より小さい、
請求項１に記載のタッチディスプレイ装置。
【請求項３】
前記第１タッチ配線の長さが前記第２タッチ配線の長さより長い場合、前記第１コンタクトパッドの表面面積は、前記第２コンタクトパッドの表面面積より小さい、
請求項１に記載のタッチディスプレイ装置。
【請求項４】
前記第１コンタクトパッドの表面面積は、前記第２コンタクトパッドの表面面積と相異する、
請求項１に記載のタッチディスプレイ装置。
【請求項５】
前記第１タッチ配線の表面面積は、前記第２タッチ配線の表面面積と相異する、
請求項１に記載のタッチディスプレイ装置。
【請求項６】
前記第１コンタクトパッド、前記第１タッチ配線、前記第２コンタクトパッド、及び前記第２タッチ配線の下部に配置された封止層と、
前記封止層の下部に配置された少なくとも１つの有機発光ダイオードのカソード層と
をさらに含み、
前記第１コンタクトパッド及び前記第１タッチ配線の下部の封止層の第１部分の厚さは、前記第２コンタクトパッド及び前記第２タッチ配線の下部の封止層の第２部分の厚さ同一である、
請求項１に記載のタッチディスプレイ装置。
【請求項７】
タッチディスプレイパネルにライン別に配置された多数のタッチ電極と、
各々のラインに配置された前記タッチ電極のうち、各々のラインで外側に配置されたタッチ電極と連結された多数のコンタクトパッドと、
前記多数のコンタクトパッドと各々連結された多数のタッチ配線とを含み、
前記コンタクトパッドの表面面積は、前記コンタクトパッドに連結された前記タッチ配線の幅に比例するか、または前記タッチ配線の長さに反比例する、
タッチディスプレイ装置。
【請求項８】
前記コンタクトパッドの表面面積に前記コンタクトパッドに連結された前記タッチ配線の幅と長さの積を足した値は、既に設定された範囲内である、
請求項７に記載のタッチディスプレイ装置。
【請求項９】
前記コンタクトパッドの横長さと縦長さのうちの少なくとも１つは、前記コンタクトパッドに連結された前記タッチ配線の幅が狭いほど短くなる、
請求項７に記載のタッチディスプレイ装置。
【請求項１０】
前記コンタクトパッドの横長さと縦長さのうちの少なくとも１つは、前記コンタクトパッドに連結された前記タッチ配線の長さが長いほど短くなる、
請求項７に記載のタッチディスプレイ装置。
【請求項１１】
前記多数のコンタクトパッドの各々の表面面積は、相異する、
請求項７に記載のタッチディスプレイ装置。
【請求項１２】
前記多数のタッチ配線の各々の幅と長さの積は、互いに異なる、
請求項７に記載のタッチディスプレイ装置。
【請求項１３】
封止層を含むタッチディスプレイパネルと、
前記封止層上の第１タッチ電極ラインに配置されたタッチ電極のうち、最初のタッチ電極と連結された第１タッチ配線と、
前記封止層上の第２タッチ電極ラインに配置されたタッチ電極のうち、最初のタッチ電極と連結された第２タッチ配線と
を含み、
前記第１タッチ配線の下部に配置される封止層の第１部分の厚さは、第１厚さであり、
前記第２タッチ配線の下部に配置される封止層の第２部分の厚さは、第２厚さであり、
前記第１厚さは、前記第２厚さより小さく、
前記第１タッチ配線の幅と長さの積を前記第１厚さで割った値は、前記第２タッチ配線の幅と長さの積を前記第２厚さで割った値と同一である、
タッチディスプレイ装置。
【請求項１４】
前記第１タッチ配線と前記第１タッチ電極ラインとの間に連結された第１コンタクトパッドと、
前記第２タッチ配線と前記第２タッチ電極ラインとの間に連結された第２コンタクトパッドと
をさらに含み、
前記第２コンタクトパッドの表面面積は、前記第１コンタクトパッドの表面面積より大きい、
請求項１３に記載のタッチディスプレイ装置。
【請求項１５】
前記第１タッチ配線の幅が前記第２タッチ配線の幅より狭い場合、前記第１コンタクトパッドの横長さと縦長さの積を前記第１厚さで割った値は、前記第２コンタクトパッドの横長さと縦長さの積を前記第２厚さで割った値より大きい、
請求項１４に記載のタッチディスプレイ装置。
【請求項１６】
前記第１タッチ配線の長さが前記第２タッチ配線の長さより長い場合、前記第１コンタクトパッドの横長さと縦長さの積を前記第１厚さで割った値は、前記第２コンタクトパッドの横長さと縦長さの積を前記第２厚さで割った値より小さい、
請求項１４に記載のタッチディスプレイ装置。
【請求項１７】
同一な方向に第１ラインと第２ラインに配置された多数のタッチ電極と、
第１タッチ配線と第２タッチ配線と
を含み、
前記第１タッチ配線は、前記タッチ電極の第１ラインと駆動回路との間に連結され第１長さを有し、
前記第２タッチ配線は、前記タッチ電極の第２ラインと前記駆動回路との間に連結され前記第１長さと異なる第２長さを有し、
第１タッチラインの第１幅は、第２タッチラインの第２幅と相異する、
タッチディスプレイ装置。
【請求項１８】
前記第１タッチ配線の前記第１幅と前記第１長さの積は、前記第２タッチ配線の前記第２幅と前記第２長さの積と同一である、
請求項１７に記載のタッチディスプレイ装置。
【請求項１９】
前記第１タッチ配線と前記タッチ電極の第１ラインとの間に連結された第１コンタクトパッドと、
前記第２タッチ配線と前記タッチ電極の第２ラインとの間に連結された第２コンタクトパッドと
をさらに含み、
前記第１タッチ配線の前記第１幅と前記第１長さの積と前記第１コンタクトパッドの表面面積の和は、前記第２タッチ配線の前記第２幅と前記第２長さの積と前記第２コンタクトパッドの表面面積の和と同一である、
請求項１７に記載のタッチディスプレイ装置。
【請求項２０】
同一な方向に第１ラインと第２ラインに配列された多数のタッチ電極と、
前記タッチ電極の第１ラインの最外郭タッチ電極と連結された第１コンタクトパッドと、
前記タッチ電極の第２ラインの最外郭タッチ電極と連結された第２コンタクトパッドと、
前記第１コンタクトパッドと駆動回路との間に連結され第１長さを有する第１タッチ配線と、
前記第２コンタクトパッドと前記駆動回路との間に連結され前記第１長さと異なる第２長さを有する第２タッチ配線と
を含み、
前記第１コンタクトパッドの第１表面面積または前記第１タッチ配線の第１幅のうちの少なくとも１つは、各々前記第１長さと前記第２長さの差の少なくとも一部分に基づいて、前記第２コンタクトパッドの第２表面面積または前記第２タッチ配線の第２幅と異なる、
タッチディスプレイ装置。
【請求項２１】
前記第１長さは、前記第２長さより長く、
前記第１コンタクトパッドの前記第１表面面積は、前記第２コンタクトパッドの前記第２表面面積より小さい、
請求項２０に記載のタッチディスプレイ装置。
【請求項２２】
前記第１長さは、前記第２長さより長く、
前記第１タッチ配線の前記第１幅は、前記第２タッチ配線の前記第２幅より小さい、
請求項２０に記載のタッチディスプレイ装置。
【発明の詳細な説明】
【技術分野】
【０００１】
本実施形態は、ディスプレイ装置に関し、ディスプレイパネルに対するタッチセンシング可能なタッチディスプレイ装置に関する。
【背景技術】
【０００２】
情報化社会が発展するにつれて、画像を表示するディスプレイ装置に対する多様な要求が増加しており、液晶ディスプレイ装置、プラズマディスプレイ装置、有機発光ディスプレイ装置などの多様な類型のディスプレイ装置が活用されている。
【０００３】
このようなディスプレイ装置は、ユーザに一層多様な機能を提供するために、ディスプレイパネルに対するユーザのタッチを認識し、認識されたタッチに基づいて入力処理を遂行する機能を提供している。
【０００４】
一例に、ディスプレイパネルに対するユーザのタッチをセンシングするために、ディスプレイパネルに多数のタッチ電極を配置し、タッチ電極と駆動回路を連結するタッチ配線を配置する。そして、ディスプレイパネルに対するユーザのタッチ時に発生する静電容量の変化をセンシングしてディスプレイパネルに対するユーザのタッチ有無とタッチ位置などを感知することができる。
【０００５】
このような静電容量の変化センシングに基づいたタッチセンシング方式は、ディスプレイパネル内で発生する寄生静電容量により影響を受けることがある。特に、タッチ電極が配置される位置によってタッチ電極と駆動回路を連結するタッチ配線の長さが相異するようになるので、タッチ配線間の寄生静電容量の偏差によってタッチセンシングの正確度が低下する問題点がある。
【発明の概要】
【発明が解決しようとする課題】
【０００６】
本実施形態の目的は、タッチディスプレイパネル内で発生する寄生静電容量の偏差を減少させて寄生静電容量によりタッチセンシングの正確度が低下することを防止することができるタッチディスプレイ装置を提供することにある。
【０００７】
本実施形態の目的は、タッチ電極と駆動回路を連結するタッチ配線を含んでタッチ電極と駆動回路との間に配置される構成による寄生静電容量の偏差を減少させることができるタッチディスプレイ装置を提供することにある。
【課題を解決するための手段】
【０００８】
一態様において、本実施形態は、タッチディスプレイパネルの第１ラインに配置されたタッチ電極のうち、最初のタッチ電極と連結された第１コンタクトパッドと、第１コンタクトパッドと連結された第１タッチ配線と、タッチディスプレイパネルの第２ラインに配置されたタッチ電極のうち、最初のタッチ電極と連結された第２コンタクトパッドと、第２コンタクトパッドと連結された第２タッチ配線を含むタッチディスプレイ装置を提供する。
【０００９】
ここで、第１コンタクトパッドの表面面積と第１タッチ配線の表面面積との和は、第２コンタクトパッドの表面面積と第２タッチ配線の表面面積との和と同一でありうる。
【００１０】
一例に、第１コンタクトパッドの横長さと縦長さの積に第１タッチ配線の幅と長さを掛けた値を足した値は、第２コンタクトパッドの横長さと縦長さの積に第２タッチ配線の幅と長さを掛けた値を足した値と同一でありうる。
【００１１】
他の態様において、本実施形態は、タッチディスプレイパネルにライン別に配置された多数のタッチ電極と、各々のラインに配置されたタッチ電極のうち、各々のラインで外側に配置されたタッチ電極と連結された多数のコンタクトパッドと、多数のコンタクトパッドと各々連結された多数のタッチ配線を含み、コンタクトパッドの横長さと縦長さとの積は、コンタクトパッドに連結されたタッチ配線の幅に比例し、タッチ配線の長さに反比例するタッチディスプレイ装置を提供する。
【００１２】
他の態様において、本実施形態は、タッチディスプレイパネルの第１ラインに配置されたタッチ電極のうち、最初のタッチ電極と連結された第１コンタクトパッドと、第１コンタクトパッドと連結された第１タッチ配線と、タッチディスプレイパネルの第２ラインに配置されたタッチ電極のうち、最初のタッチ電極と連結された第２コンタクトパッドと、第２コンタクトパッドと連結された第２タッチ配線を含み、第１コンタクトパッドと第１タッチ配線の下部に配置される封止層の厚さは、第１厚さであり、第２コンタクトパッドと第２タッチ配線の下部に配置される封止層の厚さは、第１厚さと相異する第２厚さであるタッチディスプレイ装置を提供する。
【００１３】
ここで、第１コンタクトパッドの表面面積と第１タッチ配線の表面面積との和を第１厚さで割った値は、第２コンタクトパッドの表面面積と第２タッチ配線の表面面積との和を第２厚さで割った値と同一でありうる。
【００１４】
一例に、第１コンタクトパッドの横長さと縦長さの積に第１タッチ配線の幅と長さの積を足した値を第１厚さで割った値は、第２コンタクトパッドの横長さと縦長さの積に第２タッチ配線の幅と長さの積を足した値を第２厚さで割った値と同一でありうる。
【００１５】
他の態様において、本実施形態は、同一な方向に第１ラインと第２ラインに配置された多数のタッチ電極と、第１タッチ配線及び第２タッチ配線を含み、第１タッチ配線は、タッチ電極の第１ラインと駆動回路との間に連結され第１長さを有し、第２タッチ配線は、タッチ電極の第２ラインと駆動回路との間に連結され第１長さと異なる第２長さを有し、第１タッチラインの第１幅は、第２タッチラインの第２幅と相異するタッチディスプレイ装置を提供する。
【００１６】
他の態様において、本実施形態は、同一な方向に第１ラインと第２ラインに配列された多数のタッチ電極と、タッチ電極の第１ラインの最外郭タッチ電極と連結された第１コンタクトパッド及びタッチ電極の第２ラインの最外郭タッチ電極と連結された第２コンタクトパッドと、第１コンタクトパッドと駆動回路との間に連結され第１長さを有する第１タッチ配線及び第２コンタクトパッドと駆動回路との間に連結され第１長さと異なる第２長さを有する第２タッチ配線を含み、第１コンタクトパッドの表面面積または第１タッチ配線の第１幅のうちの少なくとも１つは、各々第１長さと第２長さとの差の少なくとも一部に基づいて第２コンタクトパッドの第２表面面積または第２タッチ配線の第２幅と異なるタッチディスプレイ装置を提供する。
【発明の効果】
【００１７】
本実施形態によれば、タッチ電極と連結されるタッチ配線及びコンタクトパッドと連結されるタッチ電極毎に相異するように設計することによって、タッチ電極の位置に従う寄生静電容量の偏差を減少させ、タッチセンシングの正確度を向上させることができるようにする。
【００１８】
本実施形態によれば、タッチ電極と駆動回路との間に配置されるタッチ配線とコンタクトパッドを共に考慮して寄生静電容量の偏差を減少させることによって、タッチ電極が配置される位置に従う寄生静電容量の偏差を正確に補償することができるようにする。
【図面の簡単な説明】
【００１９】
【図１】本実施形態に係るタッチディスプレイ装置の概略的な構成を示す図である。
【図２】本実施形態に係るタッチディスプレイ装置の断面構造の例示を示す図である。
【図３】本実施形態に係るタッチディスプレイ装置の断面構造の例示を示す図である。
【図４】本実施形態に係るタッチディスプレイ装置の断面構造の例示を示す図である。
【図５】本実施形態に係るタッチディスプレイ装置におけるタッチ電極の位置に従う寄生静電容量の偏差を説明するための図である。
【図６】本実施形態に係るタッチディスプレイ装置におけるタッチ配線及びコンタクトパッドの一般的な構造の例示を示す図である。
【図７】本実施形態に係るタッチディスプレイ装置におけるタッチ配線及びコンタクトパッドの構造の第１実施形態を示す図である。
【図８】本実施形態に係るタッチディスプレイ装置におけるタッチ配線及びコンタクトパッドの構造の第２実施形態を示す図である。
【発明を実施するための形態】
【００２０】
以下、本発明の一部の実施形態を例示的な図面を通じて詳細に説明する。各図面の構成要素に参照符号を付加するに当たって、同一な構成要素に対しては、たとえ他の図面上に表示されてもできる限り同一な符号を有することができる。また、本発明を説明するに当たって、関連した公知構成または機能に対する具体的な説明が本発明の要旨を曖昧にすることがあると判断される場合には、その詳細な説明は、省略する。
【００２１】
また、本発明の構成要素を説明するに当たって、第１、第２、Ａ、Ｂ、（ａ）、（ｂ）などの用語を使用することができる。このような用語は、その構成要素を他の構成要素と区別するためのものであり、その用語により当該構成要素の本質や回順序または順序などが限定されない。ある構成要素が他の構成要素に“連結”、“結合”、または“接続”されると記載された場合、その構成要素は、その他の構成要素に直接的に連結、または接続できるが、各構成要素の間に更に他の構成要素が“連結”、“結合”、または“接続”されることもできると理解されるべきである。
【００２２】
図１は、本実施形態に係るタッチディスプレイ装置１００の概略的な構成を示すものである。
【００２３】
図１を参照すると、本実施形態に係るタッチディスプレイ装置１００は、多数のタッチ電極ＴＥと多数のタッチ配線ＴＬが配置されたタッチディスプレイパネル１１０と、タッチディスプレイパネル１１０に配置されたタッチ電極ＴＥを駆動し、タッチセンシングを遂行する駆動回路１２０を含む。
【００２４】
多数のタッチ電極ＴＥは、相互静電容量センシング方式によりタッチをセンシングする場合、タッチ駆動信号が印加されるＴｘ電極とタッチセンシング信号を受信するためのＲｘ電極とから構成され、タッチディスプレイパネル１１０に一定のサイズに分離されて配置される。
【００２５】
多数のタッチ配線ＴＬは、Ｔｘ電極と連結されタッチ駆動信号が印加されるタッチ配線ＴＬと、Ｒｘ電極と連結されタッチセンシング信号を伝達するタッチ配線ＴＬとから構成される。
【００２６】
一例に、タッチ駆動信号が印加されるタッチ配線ＴＬは、タッチディスプレイパネル１１０に配置されたタッチ電極ＴＥと横方向、即ちＸ軸方向に連結され、タッチセンシング信号を伝達するタッチ配線ＴＬは、タッチディスプレイパネル１１０に配置されたタッチ電極ＴＥと縦方向、即ちＹ軸方向に連結できるが、これに限定されるものではない。
【００２７】
駆動回路１２０は、タッチディスプレイパネル１１０のディスプレイ駆動のための信号を出力するデータ駆動回路と、タッチ電極ＴＥを用いてタッチセンシングを遂行するタッチ駆動回路を含むことができる。
【００２８】
データ駆動回路は、タッチディスプレイパネル１１０に配置された各々のサブピクセルにスキャン信号が印加されるタイミングに合せて映像データの階調に従うデータ電圧を出力してタッチディスプレイパネル１１０を通じて映像が表示されるようにする。
【００２９】
タッチ駆動回路は、タッチディスプレイパネル１１０に配置されたタッチ配線ＴＬを通じてタッチ電極ＴＥにタッチ駆動信号を印加し、タッチセンシング信号を受信してタッチディスプレイパネル１１０に対するタッチをセンシングする。
【００３０】
前述したタッチディスプレイ装置１００は、液晶ディスプレイ装置、または有機発光ディスプレイ装置でありうる。
【００３１】
タッチディスプレイ装置１００が液晶ディスプレイ装置である場合、タッチディスプレイパネル１１０にディスプレイ駆動のために配置される共通電極をタッチ電極ＴＥに活用することができる。そして、タッチディスプレイ装置１００が有機発光ディスプレイ装置である場合には、タッチディスプレイパネル１１０で封止層上にタッチ電極ＴＥを配置し、タッチセンシングを遂行することができる。
【００３２】
図２は、本実施形態に係るタッチディスプレイ装置１００が有機発光ディスプレイ装置である場合、タッチディスプレイ装置１００の断面の例示を示すものである。
【００３３】
図２を参照すると、本実施形態に係るタッチディスプレイ装置１００は、基板またはバックプレート上にポリイミドとディスプレイ駆動のための薄膜トランジスタが形成されるＴＦＴ層が配置される。
【００３４】
ＴＦＴ層上に各々のサブピクセルの発光位置にアノード（Anode）が形成され、アノード（Anode）上に有機発光層とバンクなどが配置され、サブピクセル領域に共通に形成されるカソード（Cathode）が配置される。
【００３５】
カソード（Cathode）上に封止層（Encap）が配置され、封止層（Encap）上に多数のタッチ電極ＴＥとタッチ配線ＴＬなどのタッチセンシングのための構成が配置できる。
【００３６】
ここで、タッチ電極ＴＥは、封止層（Encap）上に配置される金属からなることができる。このような場合、タッチ電極ＴＥとタッチディスプレイパネル１１０が一体型に構成できる。
【００３７】
または、タッチ電極ＴＥは、封止層（Encap）上に接着フィルムＯＣＡを通じて付着されるフィルムタッチセンサー（Film Touch Sensor）でありうる。即ち、タッチディスプレイパネル１１０上に別途のフィルムタッチセンサーを付着してタッチ電極ＴＥを構成することもできる。
【００３８】
したがって、工程上の利点によって封止層（Encap）上にタッチ電極ＴＥを配置する方式を多様に選択することができ、前述した例示の他にも封止層（Encap）上にタッチ電極ＴＥが位置する構造は、全て本実施形態の範囲に含まれることができる。
【００３９】
図３及び図４を参照して、封止層（Encap）上にタッチ電極ＴＥが配置される具体的な構造の例示を説明する。
【００４０】
図３及び図４を参照すると、タッチ電極ＴＥは、封止層（Encap）とタッチディスプレイパネル１１０のカバーとの間に配置できる。即ち、タッチ電極ＴＥとタッチ配線ＴＬなどのタッチセンシングのための構成は、封止層（Encap）上に配置できる。
【００４１】
ここで、封止層（Encap）の厚さ（Ｔ）は、５μｍ以上でありうる。
【００４２】
このように、封止層（Encap）の厚さ（Ｔ）を一定の厚さ以上に設計することによって、有機発光ダイオード（ＯＬＥＤ）のカソード（Cathode）とタッチ電極ＴＥとの間に形成される寄生静電容量を減少させることができる。これによって、寄生静電容量によるタッチセンシングの感度の低下を防止することができるようにする。
【００４３】
一方、タッチ電極ＴＥが孔Ｈを含むメッシュタイプである場合、タッチ電極ＴＥに含まれた孔Ｈは、サブピクセルの発光部と対応して位置することができる。
【００４４】
したがって、タッチ電極ＴＥの孔は、カラーフィルタＣＦと対応することができ、ホワイト有機発光ダイオード（ＯＬＥＤ）を用いる場合などのように、カラーフィルタＣＦが必要な場合、カラーフィルタＣＦの位置をタッチ電極ＴＥの孔Ｈの位置と対応させて優れる発光性能を有するタッチディスプレイ装置１００を提供することができる。
【００４５】
このようなタッチ電極ＴＥとカラーフィルタＣＦの垂直的な位置は、多様に設計できる。
【００４６】
一例に、図３に図示したように、カラーフィルタＣＦとブラックマトリックスＢＭは、タッチ電極ＴＥ上に配置できる。また、カラーフィルタＣＦとブラックマトリックスＢＭは、タッチ電極ＴＥ上に配置されるオーバーコート層ＯＣ上に配置できる。
【００４７】
他の例に、図４に図示したように、カラーフィルタＣＦとブラックマトリックスＢＭは、タッチ電極ＴＥの下部に位置することができる。この際、タッチ電極ＴＥは、カラーフィルタＣＦとブラックマトリックスＢＭ上に配置されるオーバーコート層ＯＣ上に配置できる。
【００４８】
即ち、タッチ電極ＴＥとカラーフィルタＣＦは、タッチ性能とディスプレイ性能を考慮して、最適の位置関係を有するように設計できる。
【００４９】
また、封止層（Encap）上にタッチ電極ＴＥを配置する構造を提供することによって、有機物によって一般的に金属物質であるタッチ電極ＴＥをパネルの内部に形成し難いという問題点を克服し、優れるディスプレイ性能とタッチ性能を有する有機発光ディスプレイ装置を提供することができるようにする。
【００５０】
一方、タッチディスプレイパネル１１０に配置されたタッチ電極ＴＥにタッチ駆動信号を印加し、タッチセンシング信号を受信するためにタッチ配線ＴＬがタッチディスプレイパネル１１０の外郭領域に沿って配置できる。
【００５１】
このようなタッチディスプレイパネル１１０の外郭領域に配置されるタッチ配線ＴＬは、連結されるタッチ電極ＴＥの位置によって長さなどの差が存在して、該当タッチ電極ＴＥを通じての静電容量センシング時、寄生静電容量の偏差が存在することがある。
【００５２】
図５は、本実施形態に係るタッチディスプレイ装置１００におけるタッチ配線ＴＬ間の寄生静電容量の差の例示を示すものである。
【００５３】
図５を参照すると、本実施形態に係るタッチディスプレイ装置１００のタッチディスプレイパネル１１０にＸ軸方向にＸ軸電極ラインが配置できる。このようなＸ軸電極ラインは、タッチセンシング時、タッチ駆動信号が印加されるタッチ電極ＴＥ、即ちＴｘ電極でありうる。
【００５４】
Ｘ軸電極ラインは、Ｘ軸方向に配置されたタッチ電極ＴＥがタッチ配線ＴＬを通じて駆動回路１２０と連結される。
【００５５】
タッチディスプレイパネル１１０のＹ軸方向にＹ軸電極ラインが配置できる。このようなＹ軸電極ラインは、タッチセンシング時、タッチセンシング信号を受信するためのタッチ電極ＴＥ、即ちＲｘ電極でありうる。
【００５６】
Ｙ軸電極ラインは、Ｙ軸方向に配置されたタッチ電極ＴＥがタッチ配線ＴＬを通じて駆動回路１２０と連結される。
【００５７】
タッチ配線ＴＬは、タッチディスプレイパネル１１０の外郭領域に沿って配置されてタッチ電極ＴＥと駆動回路１２０を連結することができる。
【００５８】
Ｘ軸電極ラインと連結されるタッチ配線ＴＬは、一例に、駆動回路１２０の回路部からタッチディスプレイパネル１１０の左側外郭領域に沿って配置され、左側外郭領域で各々のＸ軸電極ラインと連結される。
【００５９】
したがって、駆動回路１２０の回路部が配置された領域から離れた位置に配置される最初のＸ軸電極ラインに連結されるタッチ配線ＴＬの長さは、駆動回路１２０の回路部と隣接して配置されるｎ番目のＸ軸電極ラインと連結されるタッチ配線ＴＬの長さより長くなる。
【００６０】
Ｙ軸電極ラインと連結されるタッチ配線ＴＬは、一例に、駆動回路１２０の回路部からタッチディスプレイパネル１１０の右側外郭領域と上側外郭領域に沿って配置され、上側外郭領域で各々のＹ軸電極ラインと連結される。
【００６１】
したがって、タッチディスプレイパネル１１０の左側に配置されるＹ軸電極ラインに連結されるタッチ配線ＴＬの長さがタッチディスプレイパネル１１０の右側に配置されるＹ軸電極ラインに連結されるタッチ配線ＴＬの長さより長いことがある。
【００６２】
即ち、タッチディスプレイパネル１１０に配置されるＸ軸電極ラインとＹ軸電極ラインに連結されるタッチ配線ＴＬの長さが各々相異するようになるので、タッチ配線ＴＬの間に寄生静電容量の差が発生するようになる。
【００６３】
特に、図５で５０１が指示する部分は、寄生静電容量のサイズが最も大きく示されることがあるので、他の位置に配置されたタッチ電極ＴＥを通じてのタッチセンシング信号と差が大きく示されることがある。
【００６４】
本実施形態に係るタッチディスプレイ装置１００は、タッチディスプレイパネル１１０にタッチ電極ＴＥと駆動回路１２０を連結するタッチ配線ＴＬの間の寄生静電容量の偏差を減少させることができるタッチ配線ＴＬの配置構造を提供する。
【００６５】
図６は、本実施形態に係るタッチディスプレイ装置１００におけるタッチ電極ＴＥとタッチ配線ＴＬが連結される具体的な構造を示すものであって、タッチ電極ＴＥに連結されるタッチ配線ＴＬの一般的な構造を示すものである。
【００６６】
図６を参照すると、タッチディスプレイパネル１１０に各々のライン別に多数のタッチ電極ＴＥが配置される。
【００６７】
タッチ電極ＴＥは、タッチディスプレイパネル１１０の外郭領域に沿って配置されるタッチ配線ＴＬを通じて駆動回路１２０と連結される。
【００６８】
この際、タッチ電極ＴＥとタッチ配線ＴＬが連結される部分にコンタクトパッドＣＰが配置されてタッチ電極ＴＥとタッチ配線ＴＬの連結を容易にすることができる。
【００６９】
図６のような一般的なタッチ配線ＴＬの配置構造において、各々のラインに配置されたタッチ電極ＴＥと連結されるタッチ配線ＴＬは、同一な幅を有してタッチ電極ＴＥと連結できる。
【００７０】
そして、タッチ電極ＴＥとタッチ配線ＴＬとの間に配置されるコンタクトパッドＣＰは、連結されるタッチ電極ＴＥ毎に同一な形態に配置できる。
【００７１】
このようなタッチ配線ＴＬとコンタクトパッドＣＰは、タッチセンシング時、寄生静電容量が発生できるようにし、タッチ電極ＴＥと連結されるタッチ配線ＴＬの長さが相異するので、タッチ配線ＴＬ間の寄生静電容量の偏差が発生するようにする。
【００７２】
一例に、最初のラインに配置されたタッチ電極ＴＥと連結されるタッチ配線ＴＬの長さがｎ番目のラインに配置されたタッチ電極ＴＥと連結されるタッチ配線ＴＬの長さより長くなるので、２つのタッチ配線ＴＬの間に寄生静電容量の差が発生することがあり、異なるタッチ配線ＴＬの間にも寄生静電容量の差が発生することがある。
【００７３】
また、タッチ電極ＴＬとタッチ配線ＴＬとの間に配置されるコンタクトパッドＣＰも寄生静電容量に影響を与えて、各々のタッチ電極ＴＥに連結されたタッチ配線ＴＬとコンタクトパッドＣＰに従う寄生静電容量の偏差を補償してくれる必要がある。
【００７４】
図７は、本実施形態に係るタッチディスプレイ装置１００におけるタッチ配線ＴＬの長さ差に従う寄生静電容量の偏差を補償することができるタッチ配線ＴＬの構造の第１実施形態を示すものである。
【００７５】
図７を参照すると、本実施形態に係るタッチディスプレイ装置１００のタッチディスプレイパネル１１０に多数のタッチ電極ＴＥがライン別に配置される。
【００７６】
各々のラインに配置されたタッチ電極ＴＥのうち、最外側に配置された最初のタッチ電極ＴＥは、タッチディスプレイパネル１１０の外郭領域に沿って配置されるタッチ配線ＴＬと連結される。
【００７７】
この際、各々のラインに配置されたタッチ電極ＴＥと連結されるタッチ配線ＴＬは、タッチ配線ＴＬが連結されるタッチ電極ＴＥが配置されたラインによって、異なる幅と長さを有することができる。
【００７８】
一例に、最初のラインに配置されたタッチ電極ＴＥと連結されるタッチ配線ＴＬは、ｎ番目のラインに配置されたタッチ電極ＴＥと連結されるタッチ配線ＴＬに比べて幅は、狭く、長さは、長いことがある。
【００７９】
即ち、タッチ電極ＴＥと駆動回路１２０との間に距離が長いほどタッチ電極ＴＥと駆動回路１２０を連結するタッチ配線ＴＬの幅を減少させて、増加する長さに従う寄生静電容量の偏差を補償することができるようにする。
【００８０】
ここで、各々のラインに配置されたタッチ電極ＴＥとタッチ配線ＴＬとの間にコンタクトパッドＣＰが配置できる。
【００８１】
このようなコンタクトパッドＣＰは、連結されるタッチ電極ＴＥの位置によって相異する形態を有することができる。
【００８２】
具体的に、コンタクトパッドＣＰは、連結されるタッチ電極ＴＥが駆動回路１２０から離れて配置されるタッチ電極ＴＥであれば、小さな面積を有するように配置され、連結されるタッチ電極ＴＥが駆動回路１２０から隣接して配置されるタッチ電極ＴＥであれば、大きい面積を有するように配置される。
【００８３】
一例に、図７に図示したように、最初のラインに配置されたタッチ電極ＴＥと連結された第１コンタクトパッドＣＰ１の面積がｎ番目のラインに配置されたタッチ電極ＴＥと連結された第ｎコンタクトパッドＣＰｎの面積より小さく配置される。この際、第１コンタクトパッドＣＰ１の横長さと縦長さが各々第ｎコンタクトパッドＣＰｎの横長さと縦長さより各々短いことがある。
【００８４】
即ち、コンタクトパッドＣＰが連結されるタッチ配線ＴＬの長さが長いほどコンタクトパッドＣＰが小さな面積を有するように配置され、コンタクトパッドＣＰが連結されるタッチ配線ＴＬの幅が狭いほどコンタクトパッドＣＰが小さな面積を有するように配置される。
【００８５】
したがって、タッチ電極ＴＥと連結されるタッチ配線ＴＬの長さが長い場合に、タッチ配線ＴＬの幅とタッチ配線ＴＬに連結されるコンタクトパッドＣＰの面積を同時に調整することによって、タッチ電極ＴＥの位置に従うタッチ配線ＴＬの間の寄生静電容量の差を補償することができるようにする。
【００８６】
また、本実施形態に係るタッチディスプレイ装置１００において、タッチディスプレイパネル１１０に配置されるタッチ配線ＴＬの面積とコンタクトパッドＣＰの面積との和が一定の値を有するようにタッチ配線ＴＬとコンタクトパッドＣＰが配置できる。
【００８７】
一例に、最初のラインに配置されたタッチ電極ＴＥと連結された第１タッチ配線ＴＬ１の幅と長さの積に第１コンタクトパッドＣＰ１の横長さと縦長さの積を足した値は、２番目のラインに配置されたタッチ電極ＴＥと連結された第２タッチ配線ＴＬ２の幅と長さの積に第２コンタクトパッドＣＰ２の横長さと縦長さの積を足した値と同一でありうる。
【００８８】
第１コンタクトパッドＣＰ１の横長さが１０μｍ、縦長さが１００μｍであり、第２コンタクトパッドＣＰ２の横長さが１５μｍ、縦長さが２００μｍであれば、第１コンタクトパッドＣＰ１の面積は、１０００μｍ２であり、第２コンタクトパッドＣＰ２の面積は、３０００μｍ２となる。
【００８９】
ここで、タッチ電極ＴＥと駆動回路１２０との間の距離によって第１タッチ配線ＴＬ１の長さが１００００μｍであり、第２タッチ配線ＴＬ２の長さが７０００μｍであれば、第１タッチ配線ＴＬ１の幅は、０．９μｍになるように配置し、第２タッチ配線ＴＬ２の幅は、１．０μｍになるように配置する。
【００９０】
したがって、第１タッチ配線ＴＬ１の面積（９０００μｍ２）と第１コンタクトパッドＣＰ１の面積（１０００μｍ２）との和は、第２タッチ配線ＴＬ２の面積（７０００μｍ２）と第２コンタクトパッドＣＰ２の面積（３０００μｍ２）との和と同一になる。
【００９１】
したがって、互いに異なる位置に配置されたタッチ電極ＴＥと連結されるタッチ配線ＴＬの間の寄生静電容量の偏差を補償することができるようになる。
【００９２】
また、ｎ番目のラインに配置されたタッチ電極ＴＥと連結された第ｎタッチ配線ＴＬｎの幅と長さの積に第ｎコンタクトパッドＣＰｎの横長さと縦長さの積を足した値も第１タッチ配線ＴＬ１の幅と長さの積に第１コンタクトパッドＣＰ１の横長さと縦長さの積を足した値と同一な値を有するようにタッチ配線ＴＬとコンタクトパッドＣＰが配置できる。
【００９３】
即ち、互いに異なる位置に配置されたタッチ電極ＴＥと連結されたタッチ配線ＴＬの面積及びコンタクトパッドＣＰの面積が同一な値を有するようにすることによって、タッチ電極ＴＥが配置されるラインに従う寄生静電容量の偏差を正確に補償することができるようにする。
【００９４】
このようなタッチ配線ＴＬの面積及びコンタクトパッドＣＰの面積の和が同一な面積を有するように配置する方式は、Ｘ軸方向に配置されるタッチ電極ＴＥに連結されるタッチ配線ＴＬだけでなく、Ｙ軸方向に配置されるタッチ電極ＴＥに連結されるタッチ配線ＴＬにも同様に適用できる。
【００９５】
一方、前述した実施形態は、互いに異なる位置に配置されたタッチ電極ＴＥに連結されたタッチ配線ＴＬとコンタクトパッドＣＰの下部に配置される封止層（Encap）の厚さが一定な場合を例示として説明したが、タッチ配線ＴＬとコンタクトパッドＣＰが配置される領域で封止層（Encap）の厚さが互いに相異することもでき、本実施形態は、相異する厚さを有する封止層（Encap）上にタッチ配線ＴＬとコンタクトパッドＣＰが配置される構造で寄生静電容量の偏差を減少させることができる構造を提供する。
【００９６】
図８は、本実施形態に係るタッチディスプレイ装置１００におけるタッチ配線ＴＬ間の寄生静電容量の偏差を減少させることができるタッチ配線ＴＬの構造の第２実施形態を示すものである。
【００９７】
図８を参照すると、本実施形態に係るタッチディスプレイ装置１００のタッチディスプレイパネル１１０にライン別に多数のタッチ電極ＴＥが配置される。
【００９８】
多数のタッチ電極ＴＥのＸ軸方向とＹ軸方向に配置され、Ｘ軸方向に配置された多数のタッチ電極ＴＥは、タッチディスプレイパネル１１０の左側外郭領域に配置されるタッチ配線ＴＬと連結され、Ｙ軸方向に配置された多数のタッチ電極ＴＥはタッチディスプレイパネル１１０の右側及び上側外郭領域に配置されるタッチ配線ＴＬと連結される。
【００９９】
ここで、Ｘ軸方向に配置されるタッチ電極ＴＥのうち、最初のラインに配置されたタッチ電極ＴＥと連結される第１タッチ配線ＴＬ１と第１コンタクトパッドＣＰ１の下部に配置される封止層（Encap）は、第１厚さ（例：５μｍ）を有する。そして、Ｘ軸方向に配置されるタッチ電極ＴＥのうち、２番目のラインに配置されたタッチ電極ＴＥと連結される第２タッチ配線ＴＬ２と第２コンタクトパッドＣＰ２の下部に配置される封止層（Encap）は、第２厚さ（例：１０μｍ）を有する。
【０１００】
このような場合、第１タッチ配線ＴＬ１の面積と第１コンタクトパッドＣＰ１の面積との和を第１厚さで割った値は、第２タッチ配線ＴＬ２の面積と第２コンタクトパッドＣＰ２の面積との和を第２厚さで割った値と同一な値を有するようにする。
【０１０１】
即ち、前述した第１実施形態のように、第１タッチ配線ＴＬ１の面積と第１コンタクトパッドＣＰ１の面積との和を第２タッチ配線ＴＬ２の面積と第２コンタクトパッドＣＰ２の面積との和と同一に１００００に設計する場合、下部に位置する封止層（Encap）の厚さが相異するので、封止層（Encap）の下端部に位置する電極との距離が相異して寄生静電容量が互いに相異するようになることができる。
【０１０２】
したがって、第１タッチ配線ＴＬ１と第１コンタクトパッドＣＰ１で形成される寄生静電容量が第２タッチ配線ＴＬ２と第２コンタクトパッドＣＰ２で形成される寄生静電容量と同一な水準を有するようにタッチ配線ＴＬの幅とコンタクトパッドＣＰの面積を調整する。
【０１０３】
一例に、第１タッチ配線ＴＬ１及び第１コンタクトパッドＣＰ１の下部に配置される封止層（Encap）の第１厚さが５μｍであり、第２タッチ配線ＴＬ２と第２コンタクトパッドＣＰ２の下部に配置される封止層（Encap）の第２厚さが１０μｍである場合を例示として説明する。
【０１０４】
この際、第１コンタクトパッドＣＰ１の横長さが１０μｍ、縦長さが１００μｍであり、第１タッチ配線ＴＬ１の長さが１００００μｍであり、幅が０．９μｍである場合、第２コンタクトパッドＣＰ２の横長さを２０μｍ、縦長さを３００μｍに設計し、第２タッチ配線ＴＬ２の長さが７０００μｍ、幅が２．０μｍを有するように設計することができる。
【０１０５】
このような場合、第１タッチ配線ＴＬ１の面積と第１コンタクトパッドＣＰ１の面積との和は、１００００μｍ２となり、第２タッチ配線ＴＬ２の面積と第２コンタクトパッドＣＰ２の面積との和は、２００００μｍ２となる。
【０１０６】
したがって、第１タッチ配線ＴＬ１の面積と第１コンタクトパッドＣＰ１の面積との和を第１厚さで割った値が第２タッチ配線ＴＬ２の面積と第２コンタクトパッドＣＰ２の面積との和を第２厚さで割った値が同一な値を有するようにすることができる。
【０１０７】
また、第ｎタッチ配線ＴＬｎの面積と第ｎコンタクトパッドＣＰｎの面積との和を第ｎタッチ配線ＴＬｎ及び第ｎコンタクトパッドＣＰｎの下部に配置された封止層（Encap）の厚さで割った値も同一な値を有するようにタッチ配線ＴＬの幅とコンタクトパッドＣＰの面積を調整する。
【０１０８】
したがって、第１タッチ配線ＴＬ１の下部に配置される封止層（Encap）の第１厚さが第２タッチ配線ＴＬ２の下部に配置される封止層（Encap）の第２厚さより薄い場合、第１コンタクトパッドＣＰ１の横長さと縦長さの積は、第２コンタクトパッドＣＰ２の横長さと縦長さの積より小さいことがある。
【０１０９】
そして、第１タッチ配線ＴＬ１の幅が第２タッチ配線ＴＬ２の幅より狭い場合、第１コンタクトパッドＣＰ１の横長さと縦長さの積を第１厚さで割った値は、第２コンタクトパッドＣＰ２の横長さと縦長さの積を第２厚さで割った値より小さいことがある。
【０１１０】
そして、第１タッチ配線ＴＬ１の長さが第２タッチ配線ＴＬ２の長さより長い場合、第１コンタクトパッドＣＰ１の横長さと縦長さの積を第１厚さで割った値は、第２コンタクトパッドＣＰ２の横長さと縦長さの積を前記第２厚さで割った値より小さいことがある。
【０１１１】
即ち、タッチ配線ＴＬで寄生静電容量のサイズは、厚さに反比例するので、タッチ配線ＴＬの面積とコンタクトパッドＣＰの面積との和がタッチ配線ＴＬ及びコンタクトパッドＣＰの下部に配置される封止層（Encap）の厚さに比例する値を有するようにする。
【０１１２】
これを通じて、タッチ配線ＴＬの面積及びコンタクトパッドＣＰの面積の和をタッチ配線ＴＬとコンタクトパッドＣＰが配置される領域の封止層（Encap）の厚さで割った値を一定にすることによって、タッチ配線ＴＬ間の寄生静電容量の偏差を補償することができるようにする。
【０１１３】
本実施形態によれば、タッチディスプレイパネル１１０において、タッチ電極ＴＥと駆動回路１２０との間に配置されるタッチ配線ＴＬの面積及びコンタクトパッドＣＰの面積が一定な値を有するようにすることによって、タッチ配線ＴＬが連結されるタッチ電極ＴＥの位置に従うタッチ配線ＴＬ間の寄生静電容量の偏差を補償することができるようにする。
【０１１４】
また、タッチ配線ＴＬの下部に配置される封止層（Encap）の厚さが相異する場合には、タッチ配線ＴＬの面積及びコンタクトパッドＣＰの面積の和をその厚さで割った値が一定な値を有するようにすることによって、タッチ配線ＴＬが配置される領域別に封止層（Encap）の厚さが相異する場合にも寄生静電容量の偏差を補償することができるようにする。
【０１１５】
タッチ配線ＴＬ間の寄生静電容量の偏差を補償することによって、タッチ電極ＴＥの位置に従う寄生静電容量の影響を減少させ、タッチセンシングの正確度を向上させることができるようにする。
【０１１６】
以上の説明は、本発明の技術思想を例示的に示すことに過ぎないものであって、本発明が属する技術分野で通常の知識を有する者であれば本発明の本質的な特性から逸脱しない範囲で多様な修正及び変形が可能である。また、本発明に開示された実施形態は、本発明の技術思想を限定するためのものでなく、説明するためのものであるので、このような実施形態によって本発明の技術思想の範囲が限定されるものではない。本発明の保護範囲は、請求範囲によって解釈されなければならず、それと同等な範囲内にある全ての技術思想は、本発明の権利範囲に含まれるものとして解釈されるべきである。
【符号の説明】
【０１１７】
１００  タッチディスプレイ装置、１１０  タッチディスプレイパネル、１２０  駆動回路。
【図１】
2018206350.tif 000003
【図２】
2018206350.tif 000004
【図３】
2018206350.tif 000005
【図４】
2018206350.tif 000006
【図５】
2018206350.tif 000007
【図６】
2018206350.tif 000008
【図７】
2018206350.tif 000009
【図８】
2018206350.tif 000010